(57)【要約】      （修正有）【課題】ナイトクラブで飲料を飲んだり遊ぶ際の趣向性を高める発光注射器を提供する。【解決手段】主に注射器本体１に収納穴部１１が内設されると共に注射器本体の外周壁と収納穴部との間には同心円状空間１３が形成され、且つ同心円状空間には発光剤及び触媒パイプ５が納置される。カバー２により同心円状空間の開口が被覆され、且つ注射器本体の収納穴部には押しロッド３が覆設される。使用に際しては、注射器本体の外周壁に設けられる位置きめ用凸部１４が押されると、同心円状空間の位置きめ用凸部箇所に対して設置される触媒パイプが破裂し、内部に装填される触媒と同心円状空間内の発光剤とが混合して蛍光を発し、カクテルやコーラ等の飲料が注射部１２から注射器本体の収納穴部内に注入される。その後に押しロッドが押されると、飲料が注射器本体から射出されて飲用される。注射筒の飲用方式及び注射器本体が蛍光発光することで、照明の暗いナイトクラブの環境でも演出性が高まる。【選択図】図１
0003196909.tif 000002
【実用新案登録請求の範囲】
【請求項１】
注射器本体を有し、前記注射器本体の前端は閉鎖端を呈し、後端は開放端を呈し、且つ内部には中空の収納穴部が形成され、前記注射器本体の前端からは中空の注射部が突出されると共に前記収納穴部に連通され、且つ前記注射器本体の収納穴部には押しロッドが設置される発光注射器であって、
前記注射器本体の外周壁と収納穴部との間には同心円状空間が形成され、前記同心円状空間には発光剤及び少なくとも１つの触媒パイプが納置され、前記触媒パイプのチューブ内には触媒が装填され、カバーが設置されると共に前記同心円状空間の前記注射器本体の後端の位置に形成される開口に対応して冠着され、前記カバーの中心には孔部が設けられ、前記注射器本体の収納穴部に対応すると共に前記押しロッドが前記カバーの孔部に穿設されることを特徴とする、
発光注射器。
【請求項２】
前記注射器本体は外周壁に前記注射器本体の軸方向に沿って成形される少なくとも１つの位置きめ用凸部が設けられ、且つ前記注射器本体の同心円状空間の側壁には前記位置きめ用凸部箇所に対応する位置きめ用凹部が形成され、前記触媒パイプが前記位置きめ用凹部に内設されることを特徴とする、請求項１記載の発光注射器。
【請求項３】
前記注射器本体の後端の周縁には固定用フランジが成形され、且つ前記固定用フランジの端面には固定溝が凹設されると共に前記固定溝の少なくとも一側の箇所には切欠き部が連設され、且つ前記カバーは前記固定用フランジの固定溝に対応して覆設され、前記カバーの少なくとも一側からは凸部が突出され、前記切欠き部箇所に対応して設置されて定位されることを特徴とする、請求項２記載の発光注射器。
【考案の詳細な説明】
【技術分野】
【０００１】
本考案は、ナイトクラブで飲料を飲用する際や遊ぶ際に、娯楽性を高める発光注射器に関する。
【背景技術】
【０００２】
現代人は生活や仕事の上でのプレッシャーから解放されるため、或いは暇な時や寂しい時などに、夜仕事が終わった後に友達と一緒に、または一人でカラオケ、バー、パブ、クラブ、居酒屋等の夜間営業する娯楽施設（ナイトクラブ）に行き、音楽を聞いたり、酒を飲むなどしてリラックスを図り、新しい友人を作ったりしている。
【０００３】
なお、消費者の消費を促すため、バー、パブ、或いはクラブ等のナイトクラブでは店内に装飾を施し、音響設備の改善に努めるほか、新しい遊びのテーマを提供して現代人の好奇心を満たしている。
様々な需要があるなかで、コスプレ等のサブカルチャーが隆盛し、ナイトクラブも流行に敏感に対応して店内の客に対して仮装やメークアップを施し、ボディランゲージや特殊な動作や道具を加えてキャラを演じるなど、日常では経験できない体験を提供する。医者やナース、患者等の役を演じるのは特に人気があり、使用される道具も聴診器や注射器等趣向性が高い。
【考案の概要】
【考案が解決しようとする課題】
【０００４】
しかしながら、店内の照明が暗いことが多いため、注射器等の道具を使う場合、照明が暗い環境では視認しにくく、趣向性が低下した。但し、ナイトクラブの照明を明るくすると狭苦しく感じ、リラックスできない。
【０００５】
そこで、本考案者は上記の欠点が改善可能と考え、鋭意検討を重ねた結果、合理的設計で上記の課題を効果的に改善する本考案の発光注射器の提案に到った。
【０００６】
本考案は、以上の実情に鑑みなされたものであって、上記課題解決のため、本考案は、発光注射器を提供することを主目的とする。換言すれば、ナイトクラブで飲料を飲んだり遊ぶ際の趣向性を向上させる。
【課題を解決するための手段】
【０００７】
上述した課題を解決し、目的を達成するために、本考案に係る発光注射器は、注射器本体が設置され、前記注射器本体の前端は閉鎖端を呈し、後端は開放端を呈し、且つ内部には中空収納穴部が形成され、前記注射器本体の前端からは中空注射部が突出されると共に収納穴部に連通され、且つ前記注射器本体の収納穴部には押しロッドが設置される発光注射器であって、前記注射器本体の外周壁と収納穴部との間には同心円状空間が形成され、前記同心円状空間には発光剤及び少なくとも１つの触媒パイプが納置され、前記触媒パイプのチューブ内には触媒が装填され、カバーが設置されると共に前記同心円状空間の前記注射器本体の後端の位置に形成される開口に対応して冠着され、前記カバーの中心には孔部が設けられ、前記注射器本体の収納穴部に対応すると共に前記押しロッドが前記カバーの孔部に穿設されることを特徴とする。
【０００８】
請求項２に記載の発光注射器は請求項１において、前記注射器本体は外周壁に前記注射器本体の軸方向に沿って成形される少なくとも１つの位置きめ用凸部が設けられ、且つ前記注射器本体の同心円状空間の側壁には前記位置きめ用凸部箇所に対応する位置きめ用凹部が形成され、前記触媒パイプが前記位置きめ用凹部に内設される。
【０００９】
請求項３に記載の発光注射器は請求項２において、前記注射器本体の後端の周縁には固定用フランジが成形され、且つ前記固定用フランジの端面には固定溝が凹設されると共に前記固定溝の少なくとも一側の箇所には切欠き部が連設され、且つ前記カバーは前記固定用フランジの固定溝に対応して覆設され、前記カバーの少なくとも一側からは凸部が突出され、前記切欠き部箇所に対応して設置されて定位される。
【考案の効果】
【００１０】
本考案によれば、ナイトクラブで飲料を飲んだり遊んだりする際の趣向性が高まる。
【図面の簡単な説明】
【００１１】
【図１】本考案の第１実施形態による発光注射器を示す外観展開図（一）である。
【図２】本考案の第１実施形態による発光注射器を示す外観展開図（二）である。
【図３】本考案の第１実施形態による発光注射器を示す断面模式図（一）である。
【図４】本考案の第１実施形態による発光注射器を示す断面模式図（二）である。
【考案を実施するための形態】
【００１２】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１３】
（第１実施形態）
以下に第１実施形を図１〜４に基づいて説明する。本考案に係る発光注射器は、主に注射器本体（１）、カバー（２）、押しロッド（３）、発光剤（４）、及び触媒パイプ（５）で構成される。
前記注射器本体（１）の前端は閉鎖端を呈し、後端は開放端を呈すると共に内部には中空の収納穴部（１１）が形成され、且つ前記注射器本体（１）の前端からは中空の注射部（１２）が突出すると共に収納穴部（１１）に連通される。また、前記注射器本体（１）の外周壁と収納穴部（１１）との間には同心円状空間（１３）が形成され、且つ前記注射器本体（１）の外周壁には前記注射器本体（１）の軸方向に沿って成形される少なくとも１つの位置きめ用凸部（１４）が設けられる。
前記注射器本体（１）は同心円状空間（１３）の側壁に前記位置きめ用凸部（１４）箇所に対応する位置きめ用凹部（１５）が形成される。前記注射器本体（１）の後端の周縁には固定用フランジ（１６）が成形され、且つ前記固定用フランジ（１６）の端面には固定溝（１６１）が凹設され、前記固定溝（１６１）の少なくとも一側の箇所には切欠き部（１６２）が連設され、また、前記切欠き部（１６２）は前記位置きめ用凹部（１５）に対応する。
【００１４】
また、前記カバー（２）は前記注射器本体（１）の固定用フランジ（１６）の固定溝（１６１）に対応して覆設されて結合され、前記同心円状空間（１３）の前記注射器本体（１）の後端に形成される開口を被覆させる。
前記カバー（２）の中心には孔部（２１）が設けられ、前記注射器本体（１）の収納穴部（１１）に対応する。また、前記カバー（２）の底側には孔部（２１）の周側に沿って当接用縁端（２２）が成形され、収納穴部（１１）の壁面に当接されて定位される。前記カバー（２）の少なくとも一側からは凸部（２３）が延出されると共に前記切欠き部（１６２）の箇所に対応して設置されて結合されて定位される。
【００１５】
前記押しロッド（３）はカバー（２）の孔部（２１）から前記注射器本体（１）の収納穴部（１１）に穿設される。前記発光剤（４）は前記注射器本体（１）の同心円状空間（１３）に装填され、前記発光剤（４）はシュウ酸塩（Ｏｘａｌａｔｅ  Ｃｏｍｐｏｕｎｄ）である。
【００１６】
前記触媒パイプ（５）は前記注射器本体（１）の位置きめ用凹部（１５）に内設されると共に両端が閉鎖されるチューブ（５１）が設置される。前記チューブ（５１）はガラス管であり、前記チューブ（５１）の孔部（５１１）内には触媒（５２）が装填され、前記触媒は活性剤（Ａｃｔｉｖａｔｏｒ）である。
【００１７】
これにより、装設されて実施される際に、まず発光剤（４）が注射器本体（１）の同心円状空間（１３）に注入され、触媒パイプ（５）を位置きめ用凹部（１５）に入れ、カバー（２）が注射器本体（１）の固定溝（１６１）に装設され、高周波等によりカバー（２）と注射器本体（１）との結合を固定させる。続いて、押しロッド（３）が注射器本体（１）の収納穴部（１１）に穿設されて、本考案の装設が完成する。
【００１８】
よって、ナイトクラブでおもちゃとして使用する場合、使用者が前記注射器本体（１）の外壁に設けられる位置きめ用凸部（１４）箇所を押すと、位置きめ用凹部（１５）に設置される触媒パイプ（５）のチューブ（５１）が受力して破裂する。この際、前記チューブ（５１）に装填される触媒（５２）が破裂箇所から漏れ出し、注射器本体（１）の同心円状空間（１３）に装填される発光剤（４）と混合されて化学反応を引き起こして蛍光を発する。これにより、照明の暗いナイトクラブでも、全体が蛍光を発する注射器本体（１）をはっきりと肉眼で視認できる。続いて、使用者が押しロッド（３）を引いて注射器本体（１）の前端の注射部（１２）でビール、カクテル、コーラ等の飲料を注射器本体（１）の収納穴部（１１）に抽出した後、注射動作を行って押しロッド（３）を注射器本体（１）の前端に向けて押すと、収納穴部（１１）内のビール、カクテル、コーラ等の飲料が注射部（１２）から射出され、使用者自身または友達等に飲用される。このように、ナイトクラブで遊ぶ際の趣向性が高まる。
【００１９】
以上、本考案の実施形態について図面を参照して詳述したが、具体的な構成はこの実施形態に限られるものではなく、本考案の要旨を逸脱しない範囲の設計変更等も含まれる。
【符号の説明】
【００２０】
１      注射器本体
１１    収納穴部
１２    注射部
１３    同心円状空間
１４    位置きめ用凸部
１５    位置きめ用凹部
１６    固定用フランジ
１６１  固定溝
１６２  切欠き部
２      カバー
２１    孔部
２２    当接用縁端
２３    凸部
３      押しロッド
４      発光剤
５      触媒パイプ
５１    チューブ
５１１  孔部
５２    触媒
【図１】
0003196909.tif 000003
【図２】
0003196909.tif 000004
【図３】
0003196909.tif 000005
【図４】
0003196909.tif 000006